(57)【特許請求の範囲】
【請求項１】
少なくとも前後一対の針床を有し、当該針床の編針に係止される編目を別の編針に目移しが可能な横編機を用いて無縫製に編成された外反母趾用靴下であって、
筒状の靴下本体部と、
前記靴下本体部の内部における靴下着用者の親指と人差指との間に相当する位置で、前記靴下本体部の幅方向に並び、かつ、当該靴下本体部の甲側編地部と足裏側編地部とに繋がる少なくとも２つの面状に編成された内部編地部と、を備え、
これら内部編地部により、外反母趾用靴下とは別個に用意される後入れ部材を保持する部材保持部が形成されていることを特徴とする外反母趾用靴下。
【請求項２】
少なくとも前後一対の針床を有し、当該針床の編針に係止される編目を別の編針に目移しが可能な横編機を用いて、外反母趾用靴下を無縫製に編成するための外反母趾用靴下の編成方法であって、
靴下本体部を筒状に編成していき、当該靴下本体部の内部における靴下着用者の親指と人差指との間に相当する位置に差しかかったところで、編成途中の靴下本体部の編幅内に靴下本体部を編成する編糸で複数の掛け目を形成する工程αと、
前記工程αで形成した複数の掛け目のウエール方向に続く新たな編目を編成すること、及びその新たな編目を編幅方向の一方に移動させ、かつ当該移動により空針となった編針と、移動させた新たな編目の移動方向端部にほぼ対向する空針とに、掛け目を形成することを繰り返す工程βと、
前記靴下本体部を編成しながら、前記工程βによって形成された掛け目に続く新たな編目を編成することを繰り返すことで、前記靴下本体部の幅方向に並び、かつ、当該靴下本体部の甲側編地部と足裏側編地部とに繋がる少なくとも２つの面状の内部編地部を編成し、これら内部編地部によって外反母趾用靴下とは別個に用意される後入れ部材を保持する部材保持部を形成する工程γと、
を備えることを特徴とする外反母趾用靴下の編成方法。
【請求項３】
前記工程γの後に、前記靴下本体部の編幅内に複数の掛け目を形成し、その複数の掛け目のウエール方向に続く新たな編目を形成すること、及びその新たな編目の両端部をそれぞれ、前記２つの内部編地部に接合することを繰り返し、当該２つの内部編地部の端部を閉じる閉じ面編地部を形成する工程δを備えることを特徴とする請求項２に記載の外反母趾用靴下の編成方法。
【発明の詳細な説明】
【技術分野】
【０００１】
本発明は、外反母趾の矯正・予防に用いられる外反母趾用靴下と、外反母趾用靴下の製造方法に関する。
【背景技術】
【０００２】
特に、デザインを重視してつま先の幅が狭い靴を選ぶ女性において、親指が人差指側に曲がる外反母趾に悩む人が増えている。この外反母趾を着用により矯正、あるいは予防する靴下が種々提案されている。
【０００３】
例えば、特許文献１には、親指を挿入する袋部とそれ以外の指を挿入する袋部との間に、固形物（後入れ部材）を挿入できる袋部を形成した靴下が開示されている。この靴下を着用すれば、親指と人差指との間に固形物が挟まれることになるので、外反母趾を矯正・予防できる。
【０００４】
また、特許文献２には、靴下の筒内部に、パッド材（後入れ部材）を挿入できる袋部を縫製で形成した靴下が開示されている。この靴下もパット材で外反母趾を矯正・予防できる。
【先行技術文献】
【特許文献】
【０００５】
【特許文献１】特開平７−３２４２０２号公報
【特許文献２】実用新案登録第３１０１１１８号公報
【発明の概要】
【発明が解決しようとする課題】
【０００６】
しかし、特許文献１、２の靴下にはそれぞれ、次のような問題点があった。
【０００７】
まず、特許文献１の靴下は、袋部が外部から見える靴下であるので、靴下のデザインを重視する女性に敬遠される傾向がある。
【０００８】
一方、特許文献２の靴下は、袋部が内部に形成される靴下であるので、デザイン上の問題はない。しかし、袋部を縫製で靴下内部に接合しているため、靴下の生産性が芳しくない。
【０００９】
本発明は上記事情に鑑みてなされたものであり、その目的の一つは、見栄えが良く、かつ生産性に優れる外反母趾用靴下を提供することにある。また、本発明の別の目的は、見栄えが良く、かつ生産性に優れる外反母趾用靴下の製造方法を提供することにある。
【課題を解決するための手段】
【００１０】
本発明外反母趾用靴下は、少なくとも前後一対の針床を有し、当該針床の編針に係止される編目を別の編針に目移しが可能な横編機を用いて無縫製に編成された外反母趾用靴下である。この本発明外反母趾用靴下は、筒状の靴下本体部と、その靴下本体部の内部における靴下着用者の親指と人差指との間に相当する位置で、靴下本体部の幅方向に並び、かつ、靴下本体部の甲側編地部と足裏側編地部とに繋がる少なくとも２つの内部編地部と、を備える。これら内部編地部により、外反母趾用靴下とは別個に用意される後入れ部材を保持する部材保持部が形成されている。
【００１１】
一方、本発明外反母趾用靴下の編成方法は、少なくとも前後一対の針床を有し、当該針床の編針に係止される編目を別の編針に目移しが可能な横編機を用いて、外反母趾用靴下を無縫製に編成するための外反母趾用靴下の編成方法であって、以下の工程を備えることを特徴とする。
［工程α］…靴下本体部を筒状に編成していき、当該靴下本体部の内部における靴下着用者の親指と人差指との間に相当する位置に差しかかったところで、編成途中の靴下本体部の編幅内に靴下本体部を編成する編糸で複数の掛け目を形成する。
［工程β］…工程αで形成した複数の掛け目のウエール方向に続く新たな編目を編成すること、及びその新たな編目を編幅方向の一方に移動させ、かつ当該移動により空針となった編針と、移動させた新たな編目の移動方向端部にほぼ対向する空針とに、掛け目を形成することを繰り返す。
［工程γ］…靴下本体部を編成しながら、工程βによって形成された掛け目に続く新たな編目を編成することを繰り返すことで靴下本体部の幅方向に並び、かつ、当該靴下本体部の甲側編地部と足裏側編地部とに繋がる少なくとも２つの内部編地部を編成し、これら内部編地部によって外反母趾用靴下とは別個に用意される後入れ部材を保持する部材保持部を形成する。
【００１２】
本発明外反母趾用靴下の編成方法は、さらに下記工程δを備えていても良い。
［工程δ］…工程γの後に、前記靴下本体部の編幅内に複数の掛け目を形成し、その複数の掛け目のウエール方向に続く新たな編目を形成すること、及びその新たな編目の両端部をそれぞれ、２つの内部編地部に接合することを繰り返し、当該２つの内部編地部の端部を閉じる閉じ面編地部を形成する。
【発明の効果】
【００１３】
本発明外反母趾用靴下は、後入れ部材を挿入するための部材保持部が、靴下本体部の内部に形成されているため、指袋のない通常の靴下と同じ外見を備える。そのため、本発明外反母趾用靴下は、見栄えを気にする女性であっても使用し易い。また、本発明外反母趾用靴下は、横編機により無縫製で編成されるため、生産性に優れる。
【００１４】
本発明外反母趾用靴下の編成方法によれば、後入れ部材を挿入するための部材保持部を靴下本体部の内部に形成した外反母趾用靴下を無縫製で編成することができる。
【図面の簡単な説明】
【００１５】
【図１】（Ａ）は、実施形態１に示す外反母趾用靴下の概略図、（Ｂ）は（Ａ）の部分拡大透視図である。
【図２】実施形態１に示す外反母趾用靴下の編成工程の前半部分を示す編成工程図である。
【図３】実施形態１に示す外反母趾用靴下の編成工程の後半部分を示す編成工程図である。
【発明を実施するための形態】
【００１６】
以下、本発明の実施形態を図面に基づいて説明する。実施形態に記載の編成はいずれも、左右方向に延び、かつ前後方向に互いに対向する前後一対の針床と、前後の針床間で編目の目移しが可能な２枚ベッド横編機を用いた編成例を説明する。もちろん、使用する横編機は４枚ベッド横編機であっても良い。
【００１７】
＜実施形態１＞
図１（Ａ）に示す本実施形態の外反母趾用靴下１００は、履き口部分１０から編出され、つま先部分３０の先端を閉じることによって完成される。この外反母趾用靴下１００の最も特徴とするところは、図１（Ｂ）に示すように、靴下着用者の親指と人差指との間に相当する位置に、靴下１００とは別に用意される後入れ部材（図示略）を収納・保持することができる部材保持部２を有することである。
【００１８】
この実施形態における外反母趾用靴下１００の部材保持部２は、合計６つの編地部３〜８によって形成される。編地部３は面ａｃｇｅの位置にある編地部（内部編地部）であり、編地部４は面ｂｄｈｆの位置にある編地部（内部編地部）である。これら編地部３，４は、靴下１００の幅方向に並んで、靴下本体部１のつま先部分３０における甲側編地部３１と足裏側編地３２に連結されている。また、編地部５は面ａｂｄｃの位置にある編地部であり、編地部３，４のかかと側を繋いでおり、編地部（閉じ面編地部）６は面ｅｆｈｇの位置にある編地部であり、編地部３，４のつま先側を繋いでいる。また、編地部７は面ｃｄｈｇの位置にある編地部で、甲側編地部３１の一部であり、編地部８は面ａｂｆｅの位置にある編地部で、足裏側編地部３２の一部である。
【００１９】
ここで、編地部５（面ａｂｄｃ）の辺ｃｄは、甲側編地部３１と繋がっておらず、開口している。この開口部から部材保持部２の内部に後入れ部材を挿入できるようになっている。編地部５の辺ｃｄ以外の辺と、他の編地部３，４，６，７，８の辺は全て閉じており、それによって部材保持部２から後入れ部材が脱落しないようになっている。
【００２０】
上記部材保持部２を編成するには、部材保持部２の手前まで、筒状に靴下本体部１を編成した後、編地部５の編出し部となる辺ａｂを形成し、その辺ａｂから紙面上方向き矢印の方向に編成コースを増していく。その際、編地部５の辺ａｃと辺ｂｄの両端以外は、靴下本体部１に連結されないように、靴下本体部１が係止される編針とは異なる空針に係止する。そうすることで、辺ａｂが足裏側編地部３２に連結され、辺ｃｄに開口部が形成された編地部５が編成される。
【００２１】
次いで、靴下本体部１を編成しながら、編地部５の辺ａｃから紙面手前向き矢印の方向に編成コースを増していくと共に、編地部５の辺ｂｄから紙面手前向き矢印の方向に編成コースを増していく。その際、編地部３の辺ｃｇ、および編地部４の辺ｄｈは甲側編地部３１に連結し、編地部３の辺ａｅ、および編地部４の辺ｂｆは足裏側編地部３２に連結する。その結果、編地部３，４，７，８が形成される。
【００２２】
最後に、編地部６の編出し部となる辺ｅｆを形成し、編地部６を編成する。その際、編地部６の辺ｅｇは編地部３の辺ｅｇと連結し、編地部６の辺ｆｈは編地部４の辺ｆｈと連結する。以降は、筒状に靴下本体部１の編成を継続し、つま先部分３０の先端を閉じ合わせて外反母趾用靴下１００を完成させる。
【００２３】
次に、部材保持部２の具体的な編成工程の一例を図２，３に基づいて説明する。図２，３における左欄の「Ｓ＋数字」は工程番号を示す。図中の中欄のＡ〜Ｚは前針床（以下、ＦＢ）および後針床（以下、ＢＢ）の編針の位置を、ａ〜ｈは図１（Ｂ）に示す編地部３〜８の各頂点の近傍に位置する編目（あくまで目安）を示す。また、当該中欄の○は旧編目を、●は各工程で編成される新たな編目を、Ｖ字は掛け目もしくはタック目を、◎は重ね目を、■は伏目処理を示し、各編成工程で実際に編成動作を行った部分は太線で示す。さらに、図中の右欄における左右方向の矢印＋『Ｋ』は、矢印の方向に給糸口を移動させる間に編成を行うことを、上下方向の矢印は、矢印の方向に目移しを行うことを示し、紙面左側にある操作が先に行われる。なお、説明を分かり易くするため、編針の数を実際の編成で使用する数より少なくして説明し、目移しの際のラッキングは省略する。
【００２４】
図２のＳ０には、周回編成により編成された靴下本体部１がＦＢとＢＢに係止された状態が示されている。この状態から以降の編成により、部材保持部２を編成していく。まず、Ｓ１では、ＦＢの編針Ｘ，Ｖ，Ｔ，Ｒに編目を形成した後、ＢＢの編針Ｐ，Ｎ，Ｌ，Ｊと、ＦＢの編針Ｐ，Ｎ，Ｌ，Ｊとに交互に掛け目と編目を形成する。
【００２５】
次のＳ２では、ＦＢの編針Ｑに掛け目を形成した後、ＢＢの編針Ｐ，Ｎ，Ｌ，Ｊの掛け目に続く新たな編目を形成する。そして、ＢＢの編針Ｐ，Ｎ，Ｌ，Ｊに形成した新たな編目をそれぞれ、ＦＢの編針を経由させて、ＢＢの編針Ｒ，Ｐ，Ｎ，Ｌに目移しする。
【００２６】
Ｓ３では、ＢＢの編針Ｊに掛け目を形成した後、ＢＢの編針Ｌ，Ｎ，Ｐ，Ｒに新たな編目を形成し、最後にＦＢの編針Ｓに掛け目を形成する。そして、ＢＢの編針Ｌ，Ｎ，Ｐ，Ｒに形成した新たな編目をそれぞれ、ＦＢの編針を経由させて、ＢＢの編針Ｎ，Ｐ，Ｒ，Ｔに目移しする。
【００２７】
上記Ｓ２，Ｓ３とほぼ同様の編成を２回繰り返し、Ｓ４の状態とする。これまでの編成によって、図１（Ｂ）における部材保持部２の編地部５が形成され、その編地部５の辺ｃｄの編目がＢＢの編針Ｐ，Ｒ，Ｔ，Ｖに、辺ａｃの掛け目がＢＢの編針Ｊ，Ｌ，Ｎに、辺ｂｄの掛け目がＦＢの編針Ｑ，Ｓ，Ｕに係止される。なお、図中のＳ４の欄では特別に編地部５の編目を太線で示す。
【００２８】
次のＳ５では、ＢＢの編針Ｐ，Ｒ，Ｔ，Ｖに係止される編地部５の辺ｃｄを伏目処理する。そうすることで、編地部５の辺ｃｄの両端部以外が靴下本体部１の甲側編地部３１に繋がらずに開口し、その開口部が部材保持部２への後入れ部材の挿入口となる。
【００２９】
Ｓ６では、ＢＢの編針Ｊ，Ｌ，Ｎに係止される掛け目（編地部５の辺ａｃ）を一旦、ＦＢの編針Ｉ，Ｋ，Ｍに逃がしてから、ＢＢの編針Ｃ，Ｅ，Ｇ，Ｉ，Ｋ，Ｍ，Ｏ，Ｑ，Ｓ，Ｕ，Ｗ，Ｙに編目を形成する。このＳ６により、甲側編地部３１が、つま先部分３０の先端に向かって１コース分編成される。ここで、部材保持部２の上面である編地部７は甲側編地部３１の一部であるので、このＳ６により編地部７が、当該先端に向かって１コース編成されることにもなる。
【００３０】
Ｓ７では、Ｓ６においてＦＢの編針Ｉ，Ｋ，Ｍに逃がしておいた掛け目を、ＢＢの編針Ｊ，Ｌ，Ｎに戻すと共に、ＦＢの編針Ｑ，Ｓ，Ｕに係止される掛け目（編地部５の辺ｂｄであって編地部４の辺ｂｄ）を一旦、ＢＢの編針Ｒ，Ｔ，Ｖに逃がしてから、ＦＢの編針Ｘ，Ｖ，Ｔ，Ｒに編目を形成する。このＳ７により、足裏側編地部３２の編幅方向の一部が、つま先部分３０の先端に向かって編成される。
【００３１】
Ｓ８では、Ｓ７においてＢＢの編針Ｒ，Ｔ，Ｖに逃がしておいた掛け目を、ＦＢの編針Ｑ，Ｓ，Ｕに戻してから、その掛け目に続く新たな編目を形成する。このＳ８により、編地部４が、つま先部分３０の先端に向かって１コース分編成される。
【００３２】
Ｓ９では、ＦＢの編針Ｑ，Ｓ，Ｕに係止される編目に続く新たな編目を形成すると共に、ＦＢの編針Ｐ，Ｎ，Ｌ，Ｊに編目を、ＦＢの編針Ｈにタック目を形成する。このＳ９により、編地部３がつま先部分３０の先端に向かって１コース分編成され、かつ、足裏側編地部３２の一部が編成される。ここで、部材保持部２の下面である編地部８は足裏側編地部３２の一部であるので、このＳ９により編地部８が当該先端に向かって１コース編成されることにもなる。なお、ＦＢの編針Ｈのタック目は、次のＳ１０をスムースに行うためのものである。
【００３３】
Ｓ１０では、ＢＢの編針Ｊ，Ｌ，Ｎに編目を形成し、Ｓ１１では、ＢＢの編針Ｎ，Ｌ，Ｊと、ＦＢの編針Ｈ，Ｆ，Ｄ，Ｂに編目を形成する。Ｓ１０により、編地部３がつま先部分３０の先端に向かって１コース分編成され、Ｓ１１により、編地部３がさらに１コース分編成されると共に、足裏側編地部３２の一部が編成される。
【００３４】
以後、部材保持部２の編地部３，４，７，８が完成するまで、Ｓ６〜Ｓ１１と同様の編成を所定回数、繰り返す。編地部３，４，７，８が完成すれば、次に部材保持部２の編地部６を完成させる。その手順は、図３の編成工程図の通りである。
【００３５】
図３のＳ１２〜Ｓ１７では、編地部３，４が靴下本体部１に編み込まれないように編地部３，４と靴下本体部１を編成する。編成の際の考え方は図２と同じであるので、簡単に説明する。まず、ＢＢの編針に係止される編地部３の辺ｅｇの編目を、ＦＢの空針に目移ししておいて、ＢＢの編針に係止される甲側編地部３１を往復編成する（図３のＳ１２，Ｓ１３）。次いで、ＦＢの編針に係止される編地部３の辺ｅｇと編地部４の辺ｆｈの編目をＢＢの空針に目移ししておいて、ＦＢの編針で足裏側編地部３２を１コース分編成する（Ｓ１４）。次に、ＦＢの編針で足裏側編地部３２の一部を編成してから、ＢＢの編針に逃がしておいた編地部４の辺ｆｈの編目をＦＢの編針に戻す（Ｓ１５）。そして、Ｓ１５においてＦＢの編針に戻した辺ｆｈの編目に続く新たな編目を形成し（Ｓ１６）、さらに、Ｓ１６で形成した編目に続く新たな編目を形成すると共に、足裏側編地部３２の一部を編成する（Ｓ１７）。
【００３６】
Ｓ１８では、ＦＢの編針Ｑ，Ｓ，Ｕに係止される編地部４の辺ｆｈの編目を、ＢＢの編針Ｒ，Ｔ，Ｖに目移しした後、ＦＢの編針Ｈ〜Ｐに編目と掛け目を交互に形成する。ＦＢの編針Ｉ，Ｋ，Ｍ，Ｏの掛け目は、編地部６の辺ｅｆとなる。
【００３７】
Ｓ１９では、ＢＢの編針Ｊ（Ｒ）に係止される編地部３（４）の編目を、ＦＢの編針Ｉ（Ｏ）に係止される編地部６の編目に重ね、ＦＢの編針Ｏ，Ｍ，Ｋ，Ｉに新たな編目を形成する。このＳ１９により、足裏側編地部３２から甲側編地部３１に向かって編地部６が１コース分編成され、かつ編地部８の両端部がそれぞれ編地部３と編地部４とに連結される。
【００３８】
Ｓ２０では、Ｓ１９において形成したＦＢの編針Ｉ，Ｋ，Ｍ，Ｏに係止される編地部６の編目を、ＢＢを経由させてＦＢの編針Ｋ，Ｍ，Ｏ，Ｑに目移しする。そして、ＢＢの編針Ｌ，Ｔに係止される編地部３，４の編目をそれぞれ、ＦＢの編針Ｋ，Ｑに係止される編地部６の両端の編目に重ね合わせた上で、ＦＢの編針Ｋ，Ｍ，Ｏ，Ｑに新たな編目を形成する。このＳ２０により、編地部６が１コース分編成されると共に、編地部６の左右端が編地部３，４に連結される。
【００３９】
Ｓ２１では、Ｓ２０において形成したＦＢの編針Ｋ，Ｍ，Ｏ，Ｑに係止される編地部６の編目を、ＢＢを経由させてＦＢの編針Ｍ，Ｏ，Ｑ，Ｓに目移しする。そして、ＢＢの編針Ｎ，Ｖに係止される編地部３，４の編目をそれぞれ、ＦＢの編針Ｍ，Ｓに係止される編地部６の両端の編目に重ね合わせた上で、ＦＢの編針Ｍ，Ｏ，Ｑ，Ｓに新たな編目を形成する。このＳ２１により、編地部６がさらに１コース分編成されると共に、編地部６の左右端が編地部３，４に連結される。
【００４０】
Ｓ２２では、ＦＢの編針Ｍ，Ｏ，Ｑ，Ｓに係止される編地部６の編目を、ＢＢの編針Ｋ，Ｍ，Ｏ，Ｑに係止される甲側編地部３１の編目に重ね合わせる。そして、Ｓ２３では、ＢＢの編針Ｋ，Ｍ，Ｏ，Ｑ、Ｓ，Ｕ，Ｗ，Ｙに新たな編目を形成する。このＳ２２，Ｓ２３により、編地部６が甲側編地部３１に連結される。
【００４１】
以降は、筒状に周回編成を行って靴下本体部１をつま先部分３０の先端まで靴下本体部１を形成し、当該先端を閉じ合わせて外反母趾用靴下１００を完成させる。
【００４２】
＜実施形態２＞
実施形態２では、実施形態１の説明に利用した図１〜３を用いて実施形態１の変形例を説明する。
【００４３】
実施形態１では、足裏側編地部３２から編地部５（面ａｂｄｃ）を編出したが、甲側編地部３１から編地部５を編出しても良い。その場合、編地部６（面ｅｆｈｇ）も甲側編地部３１から編出すことになる。後入れ部材を挿入するための開口部は、編地部５の辺ａｂに形成すると良い。
【００４４】
上記開口部は、編地部６に形成することもできる。その場合、開口部は、編地部６の辺ｇｈ，ｅｆ，ｆｈ，ｅｇに設けることもできる。但し、辺ｇｈ（ｅｆ）に開口部を形成するには、編地部６を辺ｅｆ（ｇｈ）から編出す必要がある。これに対して、辺ｆｈ、ｅｇに開口部を形成する場合、編地部６を辺ｅｆから編出しても良いし、辺ｇｈから編出しても良い。
【００４５】
また、編地部６（面ｅｆｈｇ）を有さない外反母趾用靴下を編成することもできる。その場合、面ｅｆｈｇに後入れ部材を挿入するための開口部が形成される。この外反母趾用靴下を編成するには、編地部３，４を完成させたときに、その編地部３の辺ｅｇと編地部４の辺ｆｈを伏目処理し、図３のＳ１８に示す編地部６を編出すための掛け目の形成を行わなければ良い。なお、編地部６を有さない部材保持部２とする場合、編地部５の辺ｃｄと甲側編地部３１との間に開口部を形成しないことが好ましい。
【００４６】
その他、外反母趾用靴下のつま先側から編成を開始し、部材保持部を形成した後、履き口部分１０に向かって筒状に靴下本体部１を編成しても良い。その場合、部材保持部２を編成するには、まず編地部６を編成して、その編地部６を足掛かりに編地部３，４，７，８を編成し、最後に編地部５を編成すると良い。この場合も、編地部５の形成を省略することができる。また、開口部は、編地部６の辺ｅｆ，ｇｈ、編地部５の辺ａｂ，ｃｄ，ａｃ，ｂｄのいずれに形成しても良い。
【００４７】
なお、本発明は、上述した実施形態に限定されるわけではなく、本発明の要旨を逸脱しない範囲で適宜変更して実施することができる。例えば、靴下本体部１は、リブ組織であっても良い。
【符号の説明】
【００４８】
１００  外反母趾用靴下
１０  履き口部分
３０  つま先部分  ３１  甲側編地部  ３２  足裏側編地部
１  靴下本体部
２  部材保持部
３，４  編地部（内部編地部）
５，７，８  編地部
６  編地部（閉じ面編地部）
【図１】
0005785424.tif 000002
【図２】
0005785424.tif 000003
【図３】
0005785424.tif 000004